(57)【要約】【課題】本発明は高出力で薄型のスピーカを提供することを目的とするものである。【解決手段】そして、この目的を達成するために本発明は、磁気ギャップ１８を介して斜め方向、または略水平方向に配置した第一、第二の磁石１１，１３と、前記磁気ギャップ１８に可動自在に配置したボイスコイル１９と、このボイスコイル１９に結合した振動板１５とプロテクター１６とを備え、前記第二の磁石１３を前記プロテクター１６に取り付ける構成としたものである。【選択図】図１
2008092028.tif 000002
【特許請求の範囲】
【請求項１】
磁気ギャップを介して斜め方向、または略水平方向に配置した第一、第二の磁石と、前記磁気ギャップに可動自在に配置したボイスコイルと、このボイスコイルに結合した振動板とプロテクターとを備え、前記第二の磁石を前記プロテクターに取り付ける構成としたスピーカ。
【請求項２】
第一、第二の磁石は磁気的に連結させて磁気回路を形成させるようにした請求項１に記載のスピーカ。
【請求項３】
プロテクターを磁性体で構成した請求項１または請求項２に記載のスピーカ。
【請求項４】
プロテクターの表面にシールド材を設けた請求項１または請求項２に記載のスピーカ。
【発明の詳細な説明】
【技術分野】
【０００１】
本発明は各種音響機器および情報通信機器に使用されるスピーカに関するものである。
【背景技術】
【０００２】
従来のスピーカについて、図３により説明する。
【０００３】
図３は従来のスピーカの断面図を示したものである。
【０００４】
図３によると、着磁された磁石１をセンターポール３Ａを有する下部プレート３に結合し、磁石１の下部プレート３と結合した反対側に上部プレート２を結合して、これらで外磁型の磁気回路４を構成している。なお、９はプロテクターである。
【０００５】
そして、この磁気回路４にフレーム６を結合し、このフレーム６の周縁部に振動板７を結合している。
【０００６】
そして、この振動板７にボイスコイル体８を結合するとともに、このボイスコイル体８を上記磁気回路４の磁気ギャップ５に挿入してスピーカを構成している。
【０００７】
このような従来の構成のスピーカにおいてスピーカの薄型化を図るためには、その磁気回路を形成するための磁石を小型化することが当然のように行われているが、磁石を小さくすると磁力が小さくなり、その結果として音声出力も小さくなってしまうので、実際は磁石をあまり小さくはできない状態になっている。
【０００８】
なお、この出願の発明に関する先行技術文献情報としては、例えば、特許文献１が知られている。
【特許文献１】特開２００５−５１２８３号公報
【発明の開示】
【発明が解決しようとする課題】
【０００９】
上述のごとく従来から、携帯機器などの電子機器に内蔵させるタイプのスピーカは薄型化が図られているが、音声出力が小さくなってしまうのを避けるべく、実際には磁石をあまり小さくはできないのが実態で、その結果として十分に満足できる薄型化が行なえていないという問題があった。
【００１０】
そこで本発明は薄型化が図れ、しかも音声出力を高めるようにすることを目的にするものである。
【課題を解決するための手段】
【００１１】
そしてこの目的を達成するために本発明は、磁気ギャップを介して斜め方向、または略水平方向に配置した第一、第二の磁石と、前記磁気ギャップに可動自在に配置したボイスコイルと、このボイスコイルに結合した振動板とプロテクターとを備え、前記第二の磁石を前記プロテクターに取り付ける構成としたものである。
【発明の効果】
【００１２】
以上のように本発明は、第一、第二の二つの磁石を磁気ギャップを介して斜め方向、または略水平方向に配置し、この磁気ギャップに配置したボイスコイル磁束が略直交する構成とすることにより、薄型化が図れ、磁力を高めて音声出力を高めることができる。
【００１３】
また、プロテクターを磁性体で構成することにより、ヨークの代わりに利用でき磁気回路を構成する部品点数を削減することができるものである。
【発明を実施するための最良の形態】
【００１４】
以下、本発明の一実施の形態について図１を用いて説明する。
【００１５】
図１は、本発明のスピーカを示す断面図であり、ヨーク１７の中央部に第一の磁石１１と第一のプレート１２が接着により配置され、磁性体からなるプロテクター１６の内側に第二の磁石１３と第二のプレート１４が接着により配置されている。ヨーク１７とプロテクター１６は、フレーム２０により保持されている。
【００１６】
そして、第一の磁石１１と第一のプレート１２は第二の磁石１３と第二のプレート１４と斜め方向、又は略水平方向に配置され、これらのヨーク１７、第一の磁石１１、第一のプレート１２、第二の磁石１３、第二のプレート１４、プロテクター１６により磁気回路が構成される。このような構成の磁気回路は斜向磁気回路と呼ばれている。
【００１７】
磁気ギャップ１８は、第一の磁石１１、第一のプレート１２と第二の磁石１３、第二のプレート１４により、上面側に向けて開口して形成されている。
【００１８】
ボイスコイル１９は振動板１５に接着により結合され、磁気ギャップ１８に対して上下方向に可動するように配置されており、ボイスコイル１９に音声信号を印加することで、磁気ギャップ１８の磁界と反応しボイスコイル１９が上下方向に駆動し、この駆動により振動板１５が振動してスピーカから音が発信されるものである。
【００１９】
ボイスコイル１９を接着固定している振動板１５は、ボイスコイル１９を境にして内側と外側を一体で形成してもよいし、内側と外側を別々に作成しボイスコイル１９と接着接続して構成してもよい。
【００２０】
図２は磁性体からなるプロテクター１６の表面に樹脂からなるシールド材２１を設けた構成のものである。シールド材２１を設けることにより、磁界がプロテクター１６を介して外側に発散するのを防止し、上述した磁気回路に磁界を集中させることができる。
【００２１】
本発明のスピーカは、第一の磁石１１と第二の磁石１３の二つの磁石を用いて磁気ギャップ１８を構成しているため、ボイスコイル１９に大きな駆動力を発生させることができ、その結果として振動板１５による音声出力も大きなものとすることができる。
【００２２】
また、プロテクター１６を磁性体で構成しその内側に第二の磁石１３を接着により配置することにより、プロテクター１６をヨークの代わりに利用できるため、磁気回路を構成する部品点数を削減することができる。
【００２３】
上記の実施の形態は、スピーカの形状を円形として説明したが、上記の構成を有するものであれば、楕円形や細長形であってもよいのは勿論である。
【産業上の利用可能性】
【００２４】
本発明は、薄型構造で、かつ高出力の音圧を上げることができるスピーカを提供することができ、各種音響機器および情報通信機器に使用されるスピーカに有用である。
【図面の簡単な説明】
【００２５】
【図１】本発明の一実施の形態におけるスピーカの断面図
【図２】プロテクターの表面にシールド材を設けたスピーカの断面図
【図３】従来のスピーカの断面図
【符号の説明】
【００２６】
１１  第一の磁石
１２  第一のプレート
１３  第二の磁石
１４  第二のプレート
１５  振動板
１６  プロテクター
１７  ヨーク
１８  磁気ギャップ
１９  ボイスコイル
２０  フレーム
２１  シールド材
【図１】
2008092028.tif 000003
【図２】
2008092028.tif 000004
【図３】
2008092028.tif 000005